(57)【要約】【課題】保護層が剥れ易く、敷設後に情報を視認できないことがあった。【解決手段】ケーブルの外被表面に、又は外被表面に設けた情報表示部に文字、数字、図形、記号、符号といった情報を所望の表示手段によって表示し、外被表面全体を前記情報を外部から透視可能な保護層によって被覆した。【選択図】      図１
2004227987.tif 000002
【特許請求の範囲】
【請求項１】
ケーブルコアとケーブルコアの外周に位置する外被とを備えたケーブルにおいて、前記外被の全体が透視可能な保護層によって被覆されており、前記外被と前記保護層との間に情報が表示されたことを特徴とするケーブル。
【請求項２】
外被が２層以上形成され、情報が表示された外被は情報と異なる色彩であることを特徴とする請求項１記載のケーブル。
【請求項３】
保護層の厚さが０．１ｍｍ以上０．８ｍｍ以下であることを特徴とする請求項１又は請求項２記載のケーブル。
【請求項４】
保護層が二層以上であり、二層以上の保護層の合計厚さが０．１ｍｍ以上０．８ｍｍ以下であることを特徴とする請求項１乃至請求項３のいずれかに記載のケーブル。
【請求項５】
保護層は情報が表示された外被と同質の材料であることを特徴とする請求項１乃至請求項４のいずれかに記載のケーブル。
【発明の詳細な説明】
【０００１】
【発明の属する技術分野】
本発明は、電力ケーブル、光ケーブルといった各種ケーブルに関するものであり、特にケーブルに表示された情報の保護に関するものである。
【０００２】
【従来の技術】
従来から電力ケーブル、光ケーブルといった各種ケーブルの外被表面には、敷設時や敷設後にこれらケーブルを識別したり、管理したりするために必要な識別情報が表示されている。従来、これら識別情報は文字や図形を外被表面に印刷したり、バーコードシールを外被表面に貼付けたりといった手段によって外被表面に表示されていた（例えば、特許文献１参照）。従って、当該ケーブルの運搬時、敷設時、敷設後における摩擦等によって文字等が擦れたり、バーコードシールが剥がれたりし易かった。また、経年変化によって印刷が薄れて判読不可能になったり、読取不可能となったりすることも多々あった。そこで、最近では外被表面に印刷又は貼付された文字やシール等の上に透明な保護膜を設け、擦れや剥がれを防止する技術が開発されている（例えば、特許文献２参照）
【０００３】
【特許文献１】
特開２００１−３５２６６号公報
【０００４】
【特許文献２】
特開２００１−１８９１１２号公報
【０００５】
【発明が解決しようとする課題】
ケーブルの外被表面に印刷又は貼付された文字やシール等の上に透明な保護膜を設けてこれらを保護した場合は次のような課題があった。
（１）保護層がケーブルの外被表面に印刷又は貼付された文字やシール等の上にしか設けられていないため、保護層の外周縁から保護層と外被表面との間に水や油等が侵入し易く、これによって保護層が剥がれる虞がある。
（２）外被表面に局部的に設けられた保護層は、その肉厚分だけ外被表面から突出するため、ケーブルの敷設時や運搬時に外被表面から突出している保護層の端面（段差）が何かに引っ掛かって剥がれ易い。
【０００６】
【課題を解決するための手段】
本発明の目的は敷設時あるいは敷設後に保護層が剥れることがなく、長期間に亙ってケーブル外被表面に表示された情報の視認性が良好なケーブルを提供することを目的とする。
【０００７】
本発明のケーブルの一つは、ケーブルコアとケーブルコアの外周に位置する外被とからなるケーブルにおいて、前記外被の全体は透視可能な保護層によって被覆され、前記外被の全体が透視可能な保護層によって被覆され、前記外被と前記保護層との間に情報が表示されたものである。
【０００８】
本発明のケーブルの他の一つは、前記ケーブルにおいて、外被が２層以上形成され、情報が表示された外被が情報と異なる色彩であることを特徴とする請求項１記載のケーブル。
【０００９】
本発明のケーブルの他の一つは、前記ケーブルにおいて、保護層の厚さが０．１ｍｍ以上０．８ｍｍ以下であることを特徴とするものである。
【００１０】
本発明のケーブルの他の一つは、前記ケーブルにおいて、保護層が二層以上であり、二層以上の保護層の合計厚さが０．１ｍｍ以上０．８ｍｍ以下であることを特徴とするものである。
【００１１】
本発明のケーブルの他の一つは、前記ケーブルにおいて、保護層が情報の表示された外被と同質の材料であることを特徴とするものである。
【００１２】
【発明の実施の形態】
（実施形態１）
本発明のケーブルの一実施例を図１に基づいて詳細に説明する。図１に示すケーブルは、中心に抗張力体（テンションメンバ）１を備えたポリエチレン製のスペーサー２の周囲に複数の溝３を形成し、夫々の溝３内に光ファイバテープ心線４を積層収容し、これらを押え巻５によって一体化し、押え巻５の外周を黒色ポリエチレンによる外被６によって被覆してなるスペーサー構造光ケーブルである。
【００１３】
さらに、前記外被６の表面（外被が２層以上設けられている場合は、最外層の外被表面）７の１又は２以上の箇所に、白色の塗料を帯状に塗布して情報表示部８を形成し、それら情報表示部８の上に黒色で、製造年月日、敷設年月日、長さ標識等を示す数値、敷設ルートを示す文字、他の記号といった識別用の情報９を表示してある。
【００１４】
加えて、情報表示部８に表示されている情報９の外側から外被表面７の全体を、外から透視可能な保護層１０で被覆して情報９を被覆してある。保護層１０には例えば白系（半透明系）のポリエチレン材を使用することができ、保護層１０の厚さは約０．５ｍｍ程度としてある。保護層１０には透明の材料を使用することもできる。
【００１５】
（実施形態２）
本発明のケーブルの他の実施例を図２に示す。図２に示すケーブルの基本構成は前記実施形態１に示すそれと同一である。異なるのは、黒色ポリエチレンによる外被６の外周を白色ポリエチレンによる外側外被１１（最外層の外被）で被覆し、この外側外被１１の表面１２に直接（情報表示部８を設けることなく）情報９を印刷して表示したことである。この場合も、白色ポリエチレンによる外側外被１１の外周全体を保護層１０によって被覆し、保護層１０に外部から情報を透視可能な材料を使用してある。図２に示すケーブルにおいても、外側外被１１及び情報９の色彩は適宜選択することができる。
【００１６】
（他の実施形態）
前記外被６、外側外被１１及び保護層１０の素材はポリエチレンに限らず、ケーブルの用途や敷設環境等に応じて好適な素材を適宜選択することができる。
【００１７】
前記外被６、外側外被１１、情報表示部８、情報表示部８又は外被表面１２に表示される情報９の色彩は前記色彩に限定されるものではなく適宜選択することができる。もっとも、情報表示部８とそれに表示される情報９、または外被表面１２とそれに表示される情報９は互いに補色であることが視認性向上の観点からは望ましい。情報表示部８は外皮の二以上の箇所に設けることもできる。
【００１８】
保護層１０の色彩も情報９が外部から透視可能であれば特に限定されず、無色透明、有色透明、半透明等の何れでもよい。尚、情報９を外部から透視可能であるとは、人間が目視によって情報を読み取り可能であることの他、光学機器、電子機器等の読取り機で読取り可能であることも含む。例えば、情報表示部８又は外被表面１２に表示されたバーコードをバーコードリーダーによって光学的に読取り可能であることも含む。
【００１９】
前記実施形態１及び２において保護層１０の厚みを０．５ｍｍとしたのは、情報９の視認性とケーブル敷設時における保護層１０の磨耗量とを考慮した結果であるが、保護層１０の厚みは０．５ｍｍに限定されるものではなく、０．１ｍｍ〜０．８ｍｍの範囲で任意に選択することができる。０．１ｍｍ未満では敷設時や敷設後等に保護層１０に外傷が入って傷が情報９まで達することがあり、０．８ｍｍよりも厚いと透視が困難になる。保護層１０は２層以上にすることもできる。その場合は、２層以上の合計厚が０．１ｍｍ〜０．８ｍｍの範囲となるようにする。
【００２０】
情報表示部８又は外被表面１２に表示する情報９は文字以外の図形、記号、数字、図柄、符号、バーコード、或いはこれらの組合せといったものにすることができる。また、これら情報９は外被表面１２や外被表面１２に設けた情報表示部８に印刷して表示する他、情報が印刷されたシールを外被表面１２や情報表示部８に貼り付けて表示することもできる。情報９は刻印とか、他の方法によって外被表面１２よりも外に突出する凸に表示したリ、外被表面１２よりも内側に窪む凹に表示したり、或いは凹凸の組み合わせによって表示することもできる。このようにすれば、情報９が立体的になり、見易くなる。また、何らかの原因で情報９が多少磨耗しても完全に消えることは無く、いつまでも表示が確保される。
【００２１】
前記実施形態１及び２では光ケーブルを例にとって本発明のケーブルを説明したが、本発明のケーブルには光ケーブル以外の電力ケーブル、電力・光複合ケーブルその他の各種ケーブルが含まれる。また、光ケーブルもスペーサー構造光ケーブルのみに限定されない。
【００２２】
【発明の効果】
本発明の請求項１〜請求項５のケーブルは次のような効果がある。
（１）ケーブルの外被表面に表された情報の外側から外被全体に保護層を設けて情報を被覆したので、外被表面と保護層との間に水や油等が侵入せず、保護層が剥がれる虞が殆ど無く、敷設後及びその後長期間に亙って情報の視認性が保たれる。
（２）情報９がケーブルの外被表面の周方向２ヶ所以上（例えば図１の情報９の表示箇所と反対側）に表示されていても夫々の情報を別々に被覆する必要がなく、外被全体を被覆した保護層で一括被覆することができるため、情報９の被覆が容易且つ確実になる。
（３）保護層に周縁（段差）が無いため、ケーブルの敷設時や運搬時に保護層の端面が何かに引っ掛かって剥がれる虞もない。
【００２３】
本発明の請求項２のケーブルは、外被が２層以上形成され、情報が表示されている外被は情報と異なる色彩であるため、前記効果のほかに、情報９が見易いという効果もある。
【００２４】
本発明の請求項３のケーブルは、保護層の厚さが０．１ｍｍ以上０．８ｍｍ以下であるため、前記効果の他に次のような効果がある。
（１）保護層が０．１ｍｍ以上の厚さであるため、保護層内への液体の進入を阻止することができ、保護層内の情報が確実に保護される。
（２）保護層０．１ｍｍ以上の厚さであるため、保護層に傷が付いても、傷が保護層の内側まで達しにくくなり、情報が確実に保護される。
（３）保護層が厚過ぎないため、情報の透視が困難になるとか、ケーブルの敷設時や運搬時に保護層の端面が何かに引っ掛かって、保護層が剥がれ易くなるといったことも無い。
【００２５】
本発明の請求項４のケーブルは、保護層が二層以上であり、二層以上の保護層の合計厚さが０．１ｍｍ以上０．８ｍｍ以下であるため、情報の保護がより一層確実になり、しかも、情報が見にくくなることも無い、という効果もある。
【００２６】
本発明の請求項５のケーブルは、保護層が情報を表示した外被と同質の材料であるため、保護層と外被との密着性が向上し、保護層がより一層剥がれにくくなる。
【図面の簡単な説明】
【図１】本発明のケーブルの一実施例を示す説明図。
【図２】本発明のケーブルの他の実施例を示す説明図。
【符号の説明】
１  抗張力体
２  スペーサー
３  溝
４  光ファイバテープ心線
５  押え巻
６  黒色ポリエチレン外被
７  黒色ポリエチレン外被の表面
８  情報表示部
９  文字
１０  保護層
１１  白色ポリエチレン外被
１２  白色ポリエチレン外被の表面
【図１】
2004227987.tif 000003
【図２】
2004227987.tif 000004